【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
所定波長のスペクトル成分を含む観察光を発光し、当該観察光を被検体に照射する被検体観察光源と、
前記観察光が照射された前記被検体の照射領域からの反射光を撮像し、青色領域と緑色領域と赤色領域とに対応する複数の画像信号に基づいて波長領域の相違する少なくとも２つの観察画像を取得する画像取得手段と、
を具備し、
前記観察光は、前記青色領域と前記緑色領域と前記赤色領域とに発光スペクトルの成分を含み、
前記青色領域は、第１の領域と、前記被検体における特定観察対象の吸収強度が前記第１の領域よりも低く、前記第１の領域と異なる第２の領域と、を有し、
前記第２の領域の発光スペクトルの光量は、前記第１の領域の発光スペクトルの光量よりも小さい、
ことを特徴とする被検体観察システム。
【請求項２】
前記被検体観察光源は、
励起光を出射する励起光源と、
前記励起光源から出射された前記励起光を波長変換して前記観察光を発光する波長変換手段と、
を有することを特徴とする請求項１記載の被検体観察システム。
【請求項３】
前記励起光源は、前記青色領域を含む前記励起光を出射し、
前記波長変換手段は、前記青色領域の前記励起光の一部を透過すると共に、前記励起光を波長変換して所定の色領域の蛍光を発光する蛍光体を有する、ことを特徴とする請求項２記載の被検体観察システム。
【請求項４】
前記所定の色領域は、黄色領域であって、
前記透過した前記青色領域の前記励起光と前記蛍光とによって、前記観察光の発光スペクトルは略白色になることを特徴とする請求項３記載の被検体観察システム。
【請求項５】
前記画像取得手段は、前記反射光の撮像により取得した前記青色領域と前記緑色領域と前記赤色領域とに対応する前記各画素信号に基づいて前記被検体の通常光観察画像を生成する第１の画像生成部と、
前記青色領域と前記緑色領域との前記各画素信号に基づいて前記特定観察対象を強調する特殊光観察画像を生成する第２の画像生成部と、
を有し、
前記特殊光観察画像における前記特定観察対象のコントラストは、前記通常光観察画像における前記特定観察対象のコントラストよりも高い、ことを特徴とする請求項１乃至４のうちいずれか１項に記載の被検体観察システム。
【請求項６】
前記画像取得手段は、青色画素と緑色画素と赤色画素とを有する撮像手段を備え、
前記第１の画像生成部と前記第２の画像生成部とは、それぞれ前記撮像手段の前記青色画素と前記緑色画素と前記赤色画素により取得した１フレーム分の前記各画像信号に基づいて前記被検体の同一部位の前記通常光観察画像と前記特殊光観察画像とを取得する、ことを特徴とする請求項５記載の被検体観察システム。
【請求項７】
前記青色領域の発光スペクトルのピーク波長は、可視光領域における前記特定観察対象の吸収係数が最大となる吸収ピーク波長の吸収係数の値に対して５分の１以上の吸収係数を有する波長領域内に存在し、
前記青色領域の発光スペクトルの最大強度は、前記緑色領域と前記赤色領域との各発光スペクトルの最大強度よりも大きい、ことを特徴とする請求項１記載の被検体観察システム。
【請求項８】
前記緑色領域の発光スペクトルのピーク波長は、前記緑色領域内に含まれる波長領域５２５ｎｍ〜５５５ｎｍ内の前記特定観察対象の吸収係数が最大となる吸収ピーク波長での吸収係数の値に対して２分の１以上の吸収係数を有する波長領域内に存在することを特徴とする請求項７記載の被検体観察システム。
【請求項９】
前記励起光源は、前記青色領域内に含まれる波長領域４００ｎｍ〜４４０ｎｍに発光ピークの波長を有する第１の発光スペクトルを発光し、
前記波長変換手段は、前記第１の発光スペクトルの一部を吸収すると共に、前記緑色領域内に含まれる波長領域５２５ｎｍ〜５５５ｎｍを含む第２の発光スペクトルに波長変換し、かつ前記第１の発光スペクトルと前記第２の発光スペクトルとを重ね合わせて前記観察光として出射し、
前記観察光の前記青色領域内に含まれる波長領域４５０ｎｍ〜４８０ｎｍの光量は、波長領域４００ｎｍ〜４４０ｎｍの光量の５分の１以下であり、
前記赤色領域内に含まれる波長領域６００ｎｍ以上の光量は、波長領域５２５ｎｍ〜５５５ｎｍの光量の３分の１以上である、
ことを特徴とする請求項２記載の被検体観察システム。
【請求項１０】
前記第２の発光スペクトルは、前記緑色領域から前記赤色領域内に含まれる波長領域５２５ｎｍ〜６００ｎｍにおいて、連続する発光スペクトル成分を有し、
当該波長領域５２５ｎｍ〜６００ｎｍの最小強度は、前記第２の発光スペクトルのピーク強度の５分の１以上である、
ことを特徴とする請求項９記載の被検体観察システム。
【請求項１１】
前記励起光源は、レーザダイオードを含み、
前記波長変換手段は、前記レーザダイオードから出射された前記第１の発光スペクトルを吸収し、波長５２５ｎｍ以上にピーク波長を有する第２の発光スペクトルを発する第１の蛍光体を有し、
前記被検体観察光源は、前記第１の発光スペクトルを導光する導光部材を有し、前記レーザダイオードから出射された前記第１の発光スペクトルを前記導光部材に通して前記第１の蛍光体に照射する、ことを特徴とする請求項９記載の被検体観察システム。
【請求項１２】
前記観察光は、波長領域４５０ｎｍ〜４８０ｎｍにおいて、前記第１の発光スペクトルのピーク強度の２０分の１以下の強度となる波長領域が連続して５ｎｍ以上存在することを特徴とする請求項９記載の被検体観察システム。
【請求項１３】
前記励起光源は、波長領域４００ｎｍ〜４４０ｎｍにおける前記第１の蛍光体の吸収スペクトルが最大となる波長と前記波長領域４００ｎｍ〜４４０ｎｍにおける前記特定観察対象の吸収のピーク波長との間の波長領域に、前記第１の発光スペクトルのピーク波長が存在することを特徴とする請求項１１記載の被検体観察システム。
【請求項１４】
前記第１の蛍光体は、Ｃｅ賦活のガーネット系蛍光材を有しており、
前記励起光源は、波長領域４１５ｎｍ〜４４０ｎｍに前記第１の発光スペクトルのピーク波長を有する、ことを特徴とする請求項１１記載の被検体観察システム。
【請求項１５】
前記波長変換手段は、前記第１の発光スペクトルと前記第２の発光スペクトルとを所定の割合で混合して前記観察光として略白色の光を出射するように、前記第１の発光スペクトルと前記第２の発光スペクトルとの成分比率が設定されている請求項１１記載の被検体観察システム。
【請求項１６】
前記波長変換手段は、前記第１の蛍光体に加え、前記第１の発光スペクトル又は前記第２の発光スペクトルを吸収し、前記第２の発光スペクトルのピーク波長よりも長波長側にピーク波長を有する第３の発光スペクトルを発光する第２の蛍光体を有することを特徴とする請求項１１記載の被検体観察システム。
【請求項１７】
前記第１の発光スペクトルと前記第２の発光スペクトルと前記第３の発光スペクトルとを所定の割合で混合して前記観察光として略白色の光を出射するように、前記第１の発光スペクトルと前記第２の発光スペクトルと前記第３の発光スペクトルとの成分比率が設定されている請求項１６記載の被検体観察システム。
【請求項１８】
前記画像取得手段は、青色領域と緑色領域と赤色領域との３つの領域にそれぞれ最大感度を有する青色画素と緑色画素と赤色画素とを有する撮像手段を備え、
前記第１の発光スペクトルは、前記青色領域内に存在する、
ことを特徴とする請求項９記載の被検体観察システム。
【請求項１９】
前記励起光源は、波長４００ｎｍ〜４４０ｎｍの間の前記特定観察対象の吸収ピーク波長と、前記画像取得手段の撮像手段における青色画素の受光感度のピーク波長との間の波長領域に前記第１の発光スペクトルのピーク波長を有することを特徴とする請求項９記載の被検体観察システム。
【請求項２０】
前記特定観察対象は、ヘモグロビンであることを特徴とする請求項１乃至１９のいずれか１項に記載の被検体観察システム。
【請求項２１】
発光により所定波長のスペクトル成分を含む観察光を被検体観察光源により生成して当該観察光を被検体に照射し、
前記観察光が照射された前記被検体の照射領域からの反射光を撮像手段により撮像し、
前記撮像手段から出力される青色領域と緑色領域と赤色領域とに対応する複数の画像信号に基づいて波長領域の相違する少なくとも２つの観察画像を取得し、
前記観察光は、前記青色領域と前記緑色領域と前記赤色領域とに発光スペクトルの成分を含み、
前記青色領域の発光スペクトルは、前記被検体における特定観察対象の吸収強度が相対的に低い波長領域において他の領域と比較して小さい、ことを特徴とする被検体観察方法。
【請求項２２】
請求項１乃至１９のうちいずれか１項に記載の被検体観察システムを設けたことを特徴とするカプセル型内視鏡システム。
【手続補正２】
【補正対象書類名】明細書
【補正対象項目名】０００７
【補正方法】変更
【補正の内容】
【０００７】
本発明の主要な局面に係る被検体観察システムは、所定波長のスペクトル成分を含む観察光を発光し、当該観察光を被検体に照射する被検体観察光源と、前記観察光が照射された前記被検体の照射領域からの反射光を撮像し、青色領域と緑色領域と赤色領域とに対応する複数の画像信号に基づいて波長領域の相違する少なくとも２つの観察画像を取得する画像取得手段と、を具備し、前記観察光は、前記青色領域と前記緑色領域と前記赤色領域とに発光スペクトルの成分を含み、前記青色領域は、第１の領域と、前記被検体における特定観察対象の吸収強度が前記第１の領域よりも低く、前記第１の領域と異なる第２の領域と、を有し、前記第２の領域の発光スペクトルの光量は、前記第１の領域の発光スペクトルの光量よりも小さい。